(57)【特許請求の範囲】
【請求項１】
単色光をそれぞれ発光する複数の点状光源を所定順序で一方向に配置してなる一つ以上の点状光源ユニットと、
入射端面及び出射端面を有すると共に、前記点状光源から放射される単色光を前記入射端面で受光して前記出射端面まで導光する第１導光板と、
前記第１導光板の前記出射端面から出射される光を反射する反射体と、
入射端面及び出射面を有すると共に、前記反射体によって反射された光を前記入射端面で受光して前記出射面まで導光する第２導光板と、
前記第２導光板の前記出射面から出射された光を受光し、拡散して出射する拡散板とを備え、
前記第１導光板、前記第２導光板または前記拡散板に、前記点状光源ユニットの一端に配置された前記点状光源が発光する単色光の透過を抑制する第１光フィルタと、前記点状光源ユニットの他端に配置された前記点状光源が発光する単色光の透過を抑制する第２光フィルタとが、選択的に形成されていることを特徴とするバックライト装置。
【請求項２】
前記第１光フィルタ及び前記第２光フィルタが、前記第１導光板の前記出射端面に形成されている請求項１に記載のバックライト装置。
【請求項３】
前記第１光フィルタ及び前記第２光フィルタが、前記第２導光板の前記入射端面に形成されている請求項１に記載のバックライト装置。
【請求項４】
前記第１光フィルタ及び前記第２光フィルタが、前記第２導光板の前記出射面に形成されている請求項１に記載のバックライト装置。
【請求項５】
前記第１光フィルタ及び前記第２光フィルタが、前記拡散板のいずれか一方の面に形成されている請求項１に記載のバックライト装置。
【請求項６】
前記点状光源ユニットの数が一つである請求項１〜５のいずれか１項に記載のバックライト装置。
【請求項７】
請求項１〜６のいずれか１項に記載の前記バックライト装置と、当該バックライト装置からの光が照射される液晶表示パネルとを備えたことを特徴とする液晶表示装置。
【発明の詳細な説明】
【技術分野】
【０００１】
本発明は、バックライト装置及び液晶表示装置に関し、さらに言えば、発光ダイオード（Light-Emitting Diode、以下、ＬＥＤという）等の点状光源を有する、液晶表示装置に好適に使用できるバックライト装置と、そのバックライト装置を備えた液晶表示装置に関する。
【背景技術】
【０００２】
近年、高解像度のディスプレイとして液晶表示装置が広く用いられている。この液晶表示装置は、一般に、薄膜トランジスタ（Thin-film Transistor、以下、ＴＦＴという）等のスイッチング素子が形成された基板（以下、ＴＦＴ基板という）と、カラーフィルタやブラックマトリクス等が形成された対向基板と、両基板の間に配置された液晶層とを備えており、ＴＦＴ基板と対向基板の各々に設けた電極の間、またはＴＦＴ基板内に設けた複数の電極の間に生じる電界で液晶分子の配向方向を変化させることにより、光の透過量を画素毎に制御して画像を表示するものである。ＴＦＴ基板と対向基板の間に液晶層を配置してなる構成部材は、液晶表示パネルと呼ばれる。
【０００３】
液晶表示装置では、液晶それ自体が発光しないため、透過型や半透過型では面状光源装置としてバックライト装置が設けられており、当該バックライト装置の一面から放射される光（バックライト）を液晶表示パネルに照射するようになっている。バックライト装置には、線状光源または点状光源を所定レイアウトで液晶表示パネルの直下に配置する「直下型」と、液晶表示パネルの直下に設けた導光板の縁（エッジ）に沿って線状光源または点状光源を配置する「エッジライト型」がある。
【０００４】
従来のバックライト装置では、線状光源として冷陰極蛍光管が一般的に使用されてきた。しかし、冷陰極蛍光管には水銀が使用されていることから、環境に与える影響が大きいという問題があり、また、発光させるために高電圧が必要であるから、ノイズが発生するといった問題もある。そこで、近年は、点状光源としてＬＥＤが使用されることが増えている。
【０００５】
冷陰極蛍光管に代えてＬＥＤを光源として使用する場合、一つの白色光を発するＬＥＤ、あるいは赤色・緑色・青色の単色光を発するＬＥＤを一つずつ組み合わせたものでは、輝度が不足するので、白色または単色光を発する複数のＬＥＤを直線状に配置して線状光源として使用する（以下、これをＬＥＤユニットという）のが一般的である。こうすると、そのＬＥＤユニットを冷陰極蛍光管と同様に取り扱えるため、冷陰極蛍光管の場合に得たノウハウ等を流用できるという利点があるからである。
【０００６】
しかし、直下型のバックライト装置では、光源からの出射光を拡散するために設けられる拡散板上での輝度が、ＬＥＤユニットの直上部分が高くそれ以外の部分が低くなるため、表示画面上での輝度分布が不均一となる。これは、色ムラや輝度ムラにつながるので、輝度分布の調整が必要である。
【０００７】
また、白色光を発するＬＥＤを並列したＬＥＤユニットではあまり問題にはならないが、赤色・緑色・青色の単色光を発光するＬＥＤを組み合わせたＬＥＤユニットでは、赤色・緑色・青色の光を混色して白色光とする必要があるから、ＬＥＤと拡散板との距離をある程度大きくしなければならない。このため、バックライト装置ひいてはそれを内蔵する液晶表示装置が大型化してしまう。
【０００８】
これら二つの問題すなわち、「輝度分布の不均一」及び「大型化」という問題を解消するために、従来より種々の改良がなされているが、その例を図６（ａ）及び（ｂ）に示す。図６（ａ）及び（ｂ）に示したバックライト装置は、いずれも直下型であり、特許文献１（特開２００４−３１１３５３号公報）に開示されているものである。
【０００９】
図６（ａ）の従来のバックライト装置では、筐体１０１の内側の底面１０１ａ及び側面にそれぞれ反射板が形成されている。底面１０１ａの反射板を第１の反射板１０２という。底面１０１ａに相対する筐体１０１の開口部１０１ｂは、光を透過・拡散するための拡散板１０３で塞がれている。
【００１０】
点状光源１０４としては、赤色（Ｒ）、緑色（Ｇ）、または青色（Ｂ）の単色光を発光するＬＥＤが複数個組み合わせて使用されており、それらＬＥＤ１０４は点状光源基板１０５の長手方向に沿って紙面に垂直方向に実装されている。ここでは、３個の点状光源基板１０５が所定間隔をあけて並列されており、各点状光源基板１０５上におけるＬＥＤ１０４の配置は、例えばＧ、Ｂ、Ｇ、Ｒ、Ｇ、Ｂの順序の繰り返しになっている。各点状光源基板１０５は、筐体１０１の底面１０１の外部に固着されており、ＬＥＤ１０４は筐体１０１を貫通してその底面１０１ａから内部に露出せしめられている。
【００１１】
筐体１０１の内部には、３個の点状光源基板１０５のそれぞれに重なるように、３個の矩形状の第２の反射板１０６が設けられている。各反射板１０６は、第１の反射板１０２に相対する面が反射面１０６ａとされ、その裏側が正反射面１０６ｂとされている。これらの第２の反射板１０６は、反射面１０６ａと第１の反射板１０２とがほぼ平行になるように、筐体１０１の内側面に固着されている。筐体１０１の側面とそれに隣接する第２の反射板１０６との間と、相互に隣接する第２の反射板１０６の間には、それぞれ隙間が形成されているので、それらの隙間を通って点状光源１０４からの光が拡散板１０３の側に到達可能である。
【００１２】
以上の構成を持つ従来のバックライト装置では、ＬＥＤ（点状光源）１０４から発せられたＲ、Ｇ及びＢの単色光は、直接的に第１の反射板１０２によって反射されてから第２の反射板１０６の反射面１０６ａで反射され、あるいは第２の反射板１０６の反射面１０６ａで反射されてから第１の反射板１０２によって反射され、さらに第２の反射板１０６の反射面１０６ａで反射される。各単色光は、このようにして、第１の反射板１０２と第２の反射板１０６の間で反射を繰り返しながら両反射板１０２、１０６の間の隙間を伝播するうちに、相互に混色され、白色光に均一化される。こうして生成された白色光は、筐体１０１の側面とそれに隣接する第２の反射板１０６との間の隙間と、相互に隣接する第２の反射板１０６の間の隙間を通って、拡散板１０３に到達する。
【００１３】
拡散板１０３に入射した光は、拡散板１０３の内部を透過する成分と、拡散板１０３の内部の粒子で点状光源１０４側に反射される成分とに分かれる。反射された成分は、第１の反射板１０３または第２の反射板１０６の正反射面１０６ｂで反射されてから、再度、拡散板１０３に入射する。拡散板１０３から出射した光は、その表面であらゆる方向に均一に放射される。
【００１４】
このように、ＬＥＤ（点状光源）１０４から発せられたＲ、Ｇ及びＢの単色光は、第１の反射板１０２と第２の反射板１０６の間の空間で反射を繰り返しながら伝播するので、白色光への混色に充分な距離が得られる。その結果、液晶表示装置の色ムラの発生を抑制することができる。
【００１５】
また、ＬＥＤ（点状光源）１０４（すなわち点状光源基板１０５）の直上に当たる部分の輝度がその周囲の輝度に比べて高くなって輝度ムラが生じていたが、ＬＥＤ（点状光源）１０４と第１の反射板１０２との間に第２の反射板１０６を設けたので、そのような輝度ムラの発生も抑制することができる。
【００１６】
図６（ｂ）の従来のバックライト装置は、拡散板１０３の一面（内面）に、光を拡散反射する機能を持つ遮光パターン１１０ａが印刷されている点を除いて、図６（ａ）の従来のバックライト装置と同じ構成である。各遮光パターン１１０ａは、筐体１０１の側面とそれに隣接する第２の反射板１０６の間に存在する隙間と、相互に隣接する第２の反射板１０６の間に存在する隙間を通過した光が照射される領域にある。各遮光パターン１１０ａは、アルミニウムの真空蒸着法やシルク印刷法で形成される。各遮光パターン１１０ａを構成するインクドットや蒸着・印刷パターンの大きさ、密度及び濃淡は、輝度分布が均一になるように調整される。
【００１７】
このバックライト装置では、筐体１０１の側面とそれに隣接する第２の反射板１０６の間に存在する隙間と、相互に隣接する第２の反射板１０６の間に存在する隙間を通過した光は、遮光パターン１１０ａに到達してそこで拡散反射され、筐体１０１内でさらに拡散される。このため、輝度ムラ及び色ムラが図６（ａ）の従来のバックライト装置よりもさらに抑制される。
【００１８】
また、図示はしていないが、図６（ｂ）の従来のバックライト装置における遮光パターン１１０ａと似た構成を持つ直下型のバックライト装置が、特開２００５−１１７０２３号公報に開示されている。同公報の図１７と図２４に示された構成では、筐体の内部の底面に、直線状に整列配置された複数のＬＥＤからなるＬＥＤユニットが複数個、間隔をあけて配置されており、前記底面に対向する前記筐体の開口部に拡散板が固着されている。前記底面と前記拡散板の間には、拡散導光板が設けられており、その拡散導光板の一面に調光用ドット・パターンが形成されている。当該調光用ドット・パターンの各調光用ドットは、対向するＬＥＤの各々に対して一対一で配置されている。当該調光用ドット・パターンは、インクを用いた印刷によって形成される。
【００１９】
各調光用ドットは、インクの持つ反射性により、入射した光を反射する。また、インクに添加した遮光剤による遮光性と、拡散剤による拡散性とにより、入射した光を効率よく拡散反射する。その結果、ランプイメージと呼ばれる高輝度領域の発生が抑制され、換言すれば、輝度ムラが抑制されるので、輝度を均一化することができる。また、前記調光用ドット・パターンにより、拡散導光板を透過する光は高い混色性を示し、色ムラが大幅に抑制された光となる。
【特許文献１】特開平２００４−３１１３５３号公報（請求項１、段落００１０〜００２６、００４６〜００４９、図１〜３、図１１）
【特許文献２】特開平２００５−１１７０２３号公報（請求項１、段落０１２９〜０１３１、０１４３〜０１４７、図１７、図２４）
【発明の開示】
【発明が解決しようとする課題】
【００２０】
上述した従来の直下型バックライト装置では、いずれも、輝度ムラと及び色ムラを抑制することが可能である。しかしながら、赤色、緑色または青色の単色光を発光するＬＥＤ（点状光源）を複数個組み合わせて使用する限りは、それらＬＥＤの配置順序に応じて表示画面に色ムラが残ることは避けられない。例えば、赤色光を発光するＬＥＤがＬＥＤユニットの一端に配置されている場合、そのＬＥＤの片側には赤色または緑色のＬＥＤが近接して存在しないため、混色が起こり難く、その結果、表示画面のそのＬＥＤに対応する箇所は他の部分に比べて赤みがかってしまう。
【００２１】
そして、直下型のバックライト装置におけるこの色ムラの問題は、エッジライト型のバックライト装置においても生じる。特に、赤色、緑色または青色の単色光を発光する複数のＬＥＤを一列に配置してなるＬＥＤユニットを単独で使用しているエッジライト型バックライト装置では、複数のＬＥＤユニットのＬＥＤからの光を相互に混色させることができないため、この現象はより生じやすい。
【００２２】
また、上述した従来のバックライト装置はいずれも直下型であり、そこで使用されている遮光パターンや調光ドット・パターンは、エッジライト型のバックライト装置には適用が容易でない。
【００２３】
そこで、本発明の目的は、複数の点状光源を一方向に配置してなる点状光源ユニットにおける前記点状光源の配置に起因する、表示画面の色ムラを低減することができるエッジライト型のバックライト装置と、それを用いた液晶表示装置を提供することにある。
【００２４】
ここに明記しない本発明の他の目的は、以下の説明及び添付図面から明らかであろう。
【課題を解決するための手段】
【００２５】
（１）  本発明の第１の観点では、エッジライト型のバックライト装置が提供される。このバックライト装置は、
単色光をそれぞれ発光する複数の点状光源を所定順序で一方向に配置してなる一つ以上の点状光源ユニットと、
入射端面及び出射端面を有すると共に、前記点状光源から放射される単色光を前記入射端面で受光して前記出射端面まで導光する第１導光板と、
前記第１導光板の前記出射端面から出射される光を反射する反射体と、
入射端面及び出射面を有すると共に、前記反射体によって反射された光を前記入射端面で受光して前記出射面まで導光する第２導光板と、
前記第２導光板の前記出射面から出射された光を受光し、拡散して出射する拡散板とを備え、
前記第１導光板、前記第２導光板または前記拡散板に、前記点状光源ユニットの一端に配置された前記点状光源が発光する単色光の透過を抑制する第１光フィルタと、前記点状光源ユニットの他端に配置された前記点状光源が発光する単色光の透過を抑制する第２光フィルタとが、選択的に形成されていることを特徴とするものである。
【００２６】
本発明の第１の観点によるバックライト装置では、単色光をそれぞれ発光する複数の点状光源を所定順序で一方向に配置してなる一つ以上の点状光源ユニットを備えているから、そのままでは（つまり、特に対策を採らなければ）、前記点状光源の配置順序に応じて表示画面に色ムラが残る。しかし、前記第１導光板、前記第２導光板または前記拡散板に、前記点状光源ユニットの一端に配置された前記点状光源が発光する単色光の透過を抑制する第１光フィルタと、前記点状光源ユニットの他端に配置された前記点状光源が発光する単色光の透過を抑制する第２光フィルタとが、選択的に形成されているので、前記点状光源ユニットの各端に配置された前記点状光源からの単色光による影響が抑制される。
【００２７】
このように、このバックライト装置では、前記第１光フィルタ及び前記第２光フィルタを前記第１導光板、前記第２導光板または前記拡散板に選択的に設けることにより、前記点状光源の配置（並び方）に起因する色ムラの原因となっている色の透過を減少させ、それによって前記色ムラを軽減するので、表示画面における色ムラを効果的に低減することができる。
【００２８】
本発明の第１の観点によるバックライト装置の好ましい例では、前記第１光フィルタ及び前記第２光フィルタが、前記第１導光板の前記出射端面、前記第２導光板の前記入射端面、前記第２導光板の前記出射面、または前記拡散板のいずれか一方の面に形成される。
【００２９】
本発明の第１の観点によるバックライト装置の他の好ましい例では、前記点状光源ユニットの数が一つとされる。この例では、本発明の効果が顕著に発揮される、という利点がある。すなわち、前記点状光源ユニットの数が二つ以上の場合は、それら点状光源ユニットにおける前記点状光源の配置を互いに異ならせて近接配置することにより、それら点状光源ユニットの各々の両端に配置された前記点状光源の発する単色光に起因する色の偏りを緩和することが可能であるが、前記点状光源ユニットの数が一つの場合はそれは不可能であり、前記色の偏りによる影響が顕著に現れる。しかし、このバックライト装置によれば、前記点状光源ユニットの数が一つの場合に、前記の色の偏りを効果的に緩和することが可能となる。
（２）  本発明の第２の観点では、液晶表示装置が提供される。この液晶表示装置は、
上述した本発明の第１の観点のバックライト装置と、
前記バックライト装置からの光が照射される液晶表示パネルとを備えたことを特徴とするものである。
【００３０】
本発明の第２の観点による液晶表示装置では、本発明の第１の観点のバックライト装置を備えているので、表示画面における色ムラを効果的に低減することができる。
【発明の効果】
【００３１】
本発明のバックライト装置及び液晶表示装置によれば、複数の点状光源を一方向に配置してなる点状光源ユニットにおける前記点状光源の配置に起因する、表示画面の色ムラを低減することができる、という効果が得られる。
【発明を実施するための最良の形態】
【００３２】
以下、本発明の好適な実施の形態について、添付図面を参照して詳細に説明する。
【００３３】
図１は、本発明の第１実施形態のバックライト装置１の概略構成を示す要部分解斜視図、図２は同バックライト装置１の概略構成を示す要部側面図である。
【００３４】
（第１実施形態）
このバックライト装置１は、図１及び図２に示すように、エッジライト型であり、点状光源として複数のＬＥＤ１１ｂを組み込んだＬＥＤユニット１１と、矩形の第１導光板１２と、略半円筒形の反射体１３と、矩形の第２導光板１４と、矩形の拡散板１５とを備えている。これらの部材は、図示しない筐体によって図２の状態に固定されている。
【００３５】
ＬＥＤユニット１１の複数のＬＥＤ１１ｂは、それぞれ、赤色、緑色または青色の単色光を発光するものであり、帯状の剛性板よりなるベース１１ａ上に一列に所定順序で等間隔で配置・固定されている。ＬＥＤ１１ｂは、例えば、ベース１１ａ（つまりＬＥＤ列）の一端から他端に向かってＧ、Ｂ、Ｇ、Ｒ、Ｇ、Ｂ、・・・・・、Ｒの順で配置されている。つまり、ベース１１ａの一端（図１では左端）には緑色光を発光するＬＥＤ１１ａが、ベース１１ａの他端（図１では右端）には赤色光を発光するＬＥＤ１１ａが配置されている。
【００３６】
ＬＥＤユニット１１は、第１導光板１２の一方の長辺に設けられた入射端面１２ａの近傍に固定されており、隙間をあけて入射端面１２ａに沿って平行に延在している。このため、複数のＬＥＤ１１ｂは入射端面１２ａに沿って上述した順で並んでいる。各ＬＥＤ１１ｂから放射される単色光は、入射端面１２ａから第１導光板１２の内部に入射される。それら三種の単色光は、第１導光板１２の内部を伝播して、入射端面１２ａの反対側にある出射端面１２ｂから外部に出射される。
【００３７】
第１導光板１２の入射端面１２ａ及び出射端面１２ｂ以外の面には、公知の方法によって、内部の光を反射するよう処理が施されている。このため、入射端面１２ａから第１導光板１２の内部に入った光は、反射処理を施された面で全反射を繰り返しながら出射端面１２ｂに向かって伝播し、出射端面１２ｂから出射される。
【００３８】
第２導光板１４と第１導光板１２は、微少な間隔をあけて相互に平行に配置・固定されている。図２では、第１導光板１２の上に第２導光板１４が配置されている。第１導光板１２と第２導光板１４は、第１導光板１２の出射端面１２ｂと第２導光板１４の入射端面１４ａとが相互に重なり合う（面一になる）ように配置されている。第２導光板１４の方が第１導光板１２よりも大きいので、この状態では第１導光板１２の全体が第２導光板１４に覆われている。
【００３９】
反射体１３は、第１導光板１２の出射端面１２ｂと第２導光板１４の入射端面１４ａの近傍において、それらに沿って延在するように固定されている。図２に示すように、反射体１３の内側にある略半円筒形の反射面１３ａは、出射端面１２ｂと入射端面１４ａに対向しており、第１導光板１２の出射端面１２ｂから出射した光を反射して、第２導光板１４の入射端面１４ａに入射させるようになっている。
【００４０】
第２導光板１４の入射端面１４ａ及び出射面１４ｂ以外の面にも、公知の方法によって、内部の光を反射するよう処理が施されている。このため、入射端面１４ａから第２導光板１４の内部に入った光は、反射処理を施された面で全反射を繰り返しながら内部を伝播し、平面状の出射面１２ｂから拡散板１５に向かって（図２では上方に向かって）出射される。
【００４１】
拡散板１５は、第２導光板１４に関して第１導光板１２と反対側に、第２導光板１４とは所定距離をおいて相互に平行に配置されている。拡散板１５の一面は、第２導光板１４の出射面４ｂに対面している。第２導光板１４の出射面１４ｂから出射して拡散板１５に入射した光は、その内部で拡散され、平行光となって、図示しない液晶表示パネルに照射せしめられる。
【００４２】
第２導光板１４の入射端面１４ａには、図１に明瞭に示すように、液晶表示装置の表示画面に生じる色ムラを抑制するための光フィルタ２０ａと光フィルタ２０ｂが選択的に形成されている。光フィルタ２０ａは、入射端面１４ａの一方の端部（図１では左端部）に形成され、光フィルタ２０ｂは入射端面１４ａの他方の端部（図１では右端部）に形成されている。光フィルタ２０ａは、ＬＥＤユニット１１の一方の端部（図１では左端部）にあるＬＥＤ１１ｂから放射される緑色光の透過を抑制する。他方、光フィルタ２０ｂは、ＬＥＤユニット１１の他方の端部（図１では右端部）にあるＬＥＤ１１ｂから放射される赤色光の透過を抑制する。
【００４３】
第２導光板１４の入射端面１４ａに光フィルタ２０ａ及び２０ｂを設けているのは、単色光をそれぞれ発光する複数のＬＥＤ１１ｂを所定順序で一方向に配置してなるＬＥＤユニット１１を使用しているために、ＬＥＤ１１ｂの各端に配置された緑色及び赤色のＬＥＤ１１ｂに起因して、第２導光板１４の入射端面１４ａの各端部の近傍では緑色または赤色が過剰となり（つまり、色の偏りが生じ）、その影響によって表示画面に色ムラが生じるからである。
【００４４】
フィルタ２０ａ及び２０ｂの形成方法は、特に制限されない。例えば、第２導光板１４の入射端面１４ａに、所望色の光の透過を抑制するインクを所定パターンで印刷してもよいし、所望色の光の透過を抑制する着色シート等を選択的に貼り付けてもよいし、その着色シート用材料を選択的に塗布してもよい。また、フィルタ２０ａ及び２０ｂの形状は、ここでは点状（複数ドットの集合）としているが、これに限定されない。線（帯）状あるいは平面状であってもよい。要は、フィルタ２０ａ及び２０ｂを形成した領域において所望色の光の透過を抑制できればよい。
【００４５】
また、光フィルタ２０ａと２０ｂとしてどのような色をどの程度抑制すればよいかを知るためには、例えば、次のようにする。すなわち、光フィルタ２０ａと光フィルタ２０ｂを形成しない状態でＬＥＤユニット１１を駆動することにより、各ＬＥＤ１１ｂを発光させ、拡散板１５から放射される光（バックライト光）を液晶表示パネルに照射して、その表示画面に生じる色ムラを調査する。その結果、表示画面の各端部においてどのような色がどの程度過剰であるかが判明する。これらの色は、ＬＥＤユニット１１の各端部に配置されたＬＥＤ１１ｂの発光色を反映しているはずである。そこで、第２導光板１４の入射端面１４ａに、前記色ムラの原因となっている過剰な色の透過を可能な限りゼロに近づけるような光透過抑制材を選択的に形成し、光フィルタ２０ａ及び２０ｂとする。
【００４６】
次に、以上の構成を持つバックライト装置１の作用について説明する。
【００４７】
バックライト装置１の電源が入ると、ＬＥＤユニット１１中のＬＥＤ１１ｂの各々から、赤、緑または青色の単色光が第１導光板１２の入射端面１２ａに向けて放射される。それらの単色光は、入射端面１２ａを通って第１導光板１２の内部に入射し、その内部で全反射を繰り返しながら出射端面１２ｂまで伝播し、出射端面１２ｂから外部に出射される。赤、緑及び青色の単色光は、第１導光板１２の内部でいくらか相互に混色されるが、充分ではなく、ＬＥＤ１１ｂの配置（並び）の影響が残っている。すなわち、出射端面１２ｂの一端部（図１では左端部）では緑色光がやや強く、他端部（図１では右端部）では赤色光がやや強い。出射端面１２ｂの両端を除く部分（図１では中央部）では、赤、緑及び青色の単色光はかなりの程度に混色され、その結果、白色光に近い光になっている。
【００４８】
第１導光板１２の出射端面１２ｂから出射された光は、反射板１３の反射面１３ａで反射され、入射端面１４ａを通って第２導光板１４に入射する。その際に、第２導光板１４の入射端面１４ａの両端部にそれぞれ設けられた、緑色光の透過を抑制する光フィルタ２０ａ及び赤色光の透過を抑制する光フィルタ２０ｂにより、各単色光の透過量（第２導光板１４の内部への入射量）が減少せしめられる。このため、第２導光板１４の内部では、第１導光板１２からの出射光が持つ色の偏りが抑制されていることになる。第２導光板１４に入射した光は、その内部を全反射しながら伝播するが、その間に各単色光がいっそう混色され、ほぼ均一な白色光となって出射面１４ｂから出射される。
【００４９】
以上述べたように、図１及び図２に示した本発明の第１実施形態のバックライト装置１では、赤色、緑色または青色の単色光をそれぞれ発光する複数のＬＥＤ１１ｂを含むＬＥＤユニット１１を備えており、その一端（図１では左端）に緑色のＬＥＤ１１ａが、その他端（図１では右端）に赤色のＬＥＤ１１ａが配置されている。また、それらＬＥＤ１１ａは、第１導光板１２の入射端面１２ａに沿って配置されている。このため、そのままでは（つまり、特に対策を採らなければ）、ＬＥＤ１１ａの配置順序に応じて表示画面の各端部では他の部分に比べて緑色及び赤色が強調され（つまり過剰となり）、その結果、色ムラが生じる。
【００５０】
しかし、第２導光板１４の入射端面１４ａの各端部に、ＬＥＤユニット１１の一端に配置されたＬＥＤ１１ａが発光する緑色光の透過を抑制する光フィルタ２０ａと、ＬＥＤユニット１１の他端に配置されたＬＥＤ１１ａが発光する赤色光の透過を抑制する光フィルタ２０ｂとが選択的に形成されているので、ＬＥＤユニット１１の各端に配置されたＬＥＤ１１ａからの単色光による影響が抑制される。その結果、表示画面における色ムラを低減することができる。
【００５１】
また、本発明の第１実施形態のバックライト装置１に公知の液晶表示パネルを組み合わせれば、表示画面における色ムラの少ない液晶表示装置を製造することができる。
【００５２】
（第２実施形態）
図３は、本発明の第２実施形態のエッジライト型バックライト装置１Ａの概略構成を示す要部分解斜視図である。
【００５３】
このバックライト装置１Ａは、図１の第２導光板１４の入射端面１４ａに形成された光フィルタ２０ａと光フィルタ２０ｂに代えて、それらと同様の光フィルタ２１ａと光フィルタ２１ｂが第１導光板１２の出射端面１２ｂに選択的に形成されている点を除いて、図１及び図２に示した第１実施形態のバックライト装置１と同じ構成である。そこで、第１実施形態のバックライト装置１の各構成要素に対応する構成要素に同一符号を付してその説明を省略する。
【００５４】
このように、第２実施形態のバックライト装置１Ａでは、第１実施形態のバックライト装置１と同様に、赤色、緑色または青色の単色光をそれぞれ発光する複数のＬＥＤ１１ｂを含むＬＥＤユニット１１を備えており、その一端（図１では左端）に緑色のＬＥＤ１１ａが、その他端（図１では右端）に赤色のＬＥＤ１１ａが配置されている。また、それらＬＥＤ１１ａは、第１導光板１２の入射端面１２ａに沿って配置されている。このため、そのままでは（つまり、特に対策を採らなければ）、ＬＥＤ１１ａの配置順序に応じて表示画面の各端部では他の部分に比べて緑色及び赤色が強調され、その結果、色ムラが生じる。
【００５５】
しかし、第１導光板１２の出射端面１２ｂの各端部に、ＬＥＤユニット１１の一端に配置されたＬＥＤ１１ａが発光する緑色光の透過を抑制する光フィルタ２１ａと、ＬＥＤユニット１１の他端に配置されたＬＥＤ１１ａが発光する赤色光の透過を抑制する光フィルタ２１ｂとが、選択的に形成されているので、ＬＥＤユニット１１の各端に配置されたＬＥＤ１１ａからの単色光による影響が抑制される。その結果、表示画面における色ムラを低減することができる。
【００５６】
また、本発明の第２実施形態のバックライト装置１Ａに公知の液晶表示パネルを組み合わせれば、表示画面における色ムラの少ない液晶表示装置を製造することができる。
【００５７】
（第３実施形態）
図４は、本発明の第３実施形態のエッジライト型バックライト装置１Ｂの概略構成を示す要部分解斜視図である。
【００５８】
このバックライト装置１Ｂは、図１の第２導光板１４の入射端面１４ａに形成された光フィルタ２０ａと光フィルタ２０ｂに代えて、それらと同様の光フィルタ２２ａと光フィルタ２２ｂが第２導光板１４の出射面１４ｂに選択的に形成されている点を除いて、図１及び図２に示した第１実施形態のバックライト装置１と同じ構成である。そこで、第１実施形態のバックライト装置１の各構成要素に対応する構成要素に同一符号を付してその説明を省略する。
【００５９】
このバックライト装置１Ｂでは、図１の第２導光板１４の出射面１４ｂの各端部に、ＬＥＤユニット１１の一端に配置されたＬＥＤ１１ａが発光する緑色光の透過を抑制する光フィルタ２２ａと、ＬＥＤユニット１１の他端に配置されたＬＥＤ１１ａが発光する赤色光の透過を抑制する光フィルタ２２ｂとが、選択的に形成されているので、ＬＥＤユニット１１の各端に配置されたＬＥＤ１１ａからの単色光による影響が抑制される。その結果、表示画面における色ムラを低減することができる。
【００６０】
また、本発明の第３実施形態のバックライト装置１Ｂに公知の液晶表示パネルを組み合わせれば、表示画面における色ムラの少ない液晶表示装置を製造することができる。
【００６１】
（第４実施形態）
図５は、本発明の第４実施形態のエッジライト型バックライト装置１Ｃの概略構成を示す要部分解斜視図である。
【００６２】
このバックライト装置１Ｃは、図１の第２導光板１４の入射端面１４ａに形成された光フィルタ２０ａと光フィルタ２０ｂに代えて、それらと同様の光フィルタ２３ａと光フィルタ２３ｂが拡散板１５の一面（入射面または出射面）に選択的に形成されている点を除いて、図１及び図２に示した第１実施形態のバックライト装置１と同じ構成である。そこで、第１実施形態のバックライト装置１の各構成要素に対応する構成要素に同一符号を付してその説明を省略する。
【００６３】
このバックライト装置１Ｃでは、拡散板１５の一面（入射側面または出射側面）の各端部に、ＬＥＤユニット１１の一端に配置されたＬＥＤ１１ａが発光する緑色光の透過を抑制する光フィルタ２３ａと、ＬＥＤユニット１１の他端に配置されたＬＥＤ１１ａが発光する赤色光の透過を抑制する光フィルタ２３ｂとが、選択的に形成されているので、ＬＥＤユニット１１の各端に配置されたＬＥＤ１１ａからの単色光による影響が抑制される。その結果、表示画面における色ムラを低減することができる。
【００６４】
また、本発明の第４実施形態のバックライト装置１Ｃに公知の液晶表示パネルを組み合わせれば、表示画面における色ムラの少ない液晶表示装置を製造することができる。
【００６５】
（変形例）
上述した第１〜第４の実施形態は本発明を具体化した例を示すものである。したがって、本発明はこれらの実施形態に限定されるものではなく、本発明の趣旨を外れることなく種々の変形が可能であることは言うまでもない。
【００６６】
例えば、上記実施形態では、光フィルタを第１導光板の出射端面、第２導光板の入射端面もしくは出射面、または前記拡散板に選択的に設けているが、必要に応じてこれらを二つ以上組み合わせてもよい。すなわち、光フィルタを第２導光板の入射端面と拡散板とに設けてもよいし、第１導光板の出射端面と拡散板とに設けてもよいし、これら以外の組み合わせでもよい。
【００６７】
また、上記実施形態では、光フィルタを第１導光板の出射端面、第２導光板の入射端面もしくは出射面、または前記拡散板の両端部に選択的に設けているが、本発明はこれに限定されない。表示画面の両端部以外に局所的に現れる色ムラに応じて、光フィルタを第１導光板の出射端面、第２導光板の入射端面もしくは出射面、または前記拡散板の両端部以外の箇所に選択的に設けてもよいことは言うまでもない。
【００６８】
さらに、上記実施形態では、一つのＬＥＤユニットを使用しているが、複数のＬＥＤユニットを使用してもよい。また、上記実施形態では、第１導光板及び第２導光板として平行導光板を使用しているが、他の形態の導光板（例えば、楔形導光板など）を使用してもよい。
【図面の簡単な説明】
【００６９】
【図１】本発明の第１実施形態に係るバックライト装置の概略構成を示す要部分解斜視図である。
【図２】本発明の第１実施形態に係るバックライト装置の概略構成を示す要部側面図である。
【図３】本発明の第２実施形態に係るバックライト装置の概略構成を示す要部分解斜視図である。
【図４】本発明の第３実施形態に係るバックライト装置の概略構成を示す要部分解斜視図である。
【図５】本発明の第４実施形態に係るバックライト装置の概略構成を示す要部分解斜視図である。
【図６】（ａ）は従来のバックライト装置の一つの概略構成を示す部分断面図、（ｂ）は従来のバックライト装置の他の概略構成を示す部分断面図である。
【符号の説明】
【００７０】
１、１Ａ、１Ｂ、１Ｃ  バックライト装置
１１  ＬＥＤユニット
１１ａ  ベース
１１ｂ  ＬＥＤ
１２  第１導光板
１２ａ  入射端面
１２ｂ  出射端面
１３  反射体
１３ａ  反射面
１４  第２導光板
１４ａ  入射端面
１４ｂ  出射面
１５  拡散板
２０ａ、２０ｂ、２１ａ、２１ｂ、２２ａ、２２ｂ、２３ａ、２３ｂ  光フィルタ
【図１】
0004577229.tif 000002
【図２】
0004577229.tif 000003
【図３】
0004577229.tif 000004
【図４】
0004577229.tif 000005
【図５】
0004577229.tif 000006
【図６】
0004577229.tif 000007